(57)【要約】      （修正有）【課題】包装した複数の商品を極めて合理的に展示することが可能で、これらの商品をそのまま持ち運ぶことができ、使用後の処分も容易な展示袋兼用持運び袋を提供する。【解決手段】前後片１、２と、マチ部を設けた左右側片３とをシールして柔軟なフィルム系の袋体を形成する。前片１に商品の展示用表示部１Ａを設ける。前片１の上端を上方に延長して袋体の開口部を施蓋する蓋部６を形成する。蓋部６の内側に、蓋部６と後片２とを帯状に接着するシール部７を設ける。後片２内部で商品Ｐの上部に被着された補強シート８の近傍に持運び用の取っ手孔２Ａを開穿する。商品Ｐのセット全体の上部から前面にかけて被着する断面略Ｌ字形状の補強シート８を形成する。補強シート８の上から蓋部６を施蓋して後片２に蓋部６を接着し、持運び時において取っ手孔２Ａから補強シート８にかけて把持するように設ける。【選択図】図１
0003135721.tif 000002
【実用新案登録請求の範囲】
【請求項１】
複数個の商品をセットにした状態で収納する展示袋兼用持運び袋において、前後片とマチ部を設けた左右側片とをシールして底部を設けた柔軟な合成樹脂製フィルムの袋体を形成し、前片の上端を上方に延長して袋体の開口部を施蓋する蓋部を形成し、該蓋部の内側に、蓋部と後片とを接着する帯状のシール部を設けたことを特徴とする展示袋兼用持運び袋。
【請求項２】
前記商品のセット全体の上部から前面にかけて被着する断面略Ｌ字形状の補強シートを形成し、商品に被着した補強シートの上から前記蓋部を施蓋して前記後片に蓋部を接着し、該後片内部で商品の上部に被着された補強シートの近傍に持運び用の取っ手孔を開穿し、持運び時において前記取っ手孔から補強シートにかけて把持するように設けられた請求項１記載の展示袋兼用持運び袋。
【請求項３】
前記袋体の底部を商品の上部に配置した状態で商品を収納すると共に、収納される商品のセット全体の上部から前面にかけて断面略Ｌ字形状の補強シートを被着し、商品の下部に位置する開口部を前記蓋部で施蓋して前記後片に蓋部を接着し、該後片内部で商品の上部に被着された補強シートの近傍に持運び用の取っ手孔を開穿し、持運び時において取っ手孔から補強シートにかけて把持するように設けられた請求項１記載の展示袋兼用持運び袋。
【請求項４】
前記補強シートは、商品の前面に重合する重合片と、商品の上部に被着する被着片と、該被着片から延長され商品の一部に係止する係止片とからなる請求項２又は３記載の展示袋兼用持運び袋。
【請求項５】
前記袋体は、厚さ0.03〜0.1mmのポリプロピレンフィルムに厚さ0.015 mmのナイロンフィルムがラミネートされたフィルム材にて形成された請求項１乃至４いずれか記載の展示袋兼用持運び袋。
【考案の詳細な説明】
【技術分野】
【０００１】
本考案は、たとえば、各種商品を包装したままで展示し、且つ、展示状態のまま持ち運ぶことができる展示袋兼用持運び袋に関する。
【背景技術】
【０００２】
スーパーマーケット等の展示棚に並べられる商品は、個々の商品が陳列されるだけではなく、例えば、シャンプーとリンスの如く、使用目的等が関連する商品をセットにして展示・販売することなども行われている。このような販売には、複数の商品をセットで包装して展示すると共に、購買者がこの包装のまま持ち運べるように、厚手のＰＰ等を用いたケース状の包装体が使用されている。
【０００３】
例えば、特許文献１に記載の陳列パックは、廃棄ＰＥＴ材を利用して形成した陳列パックをそのまま持ち運びできるように構成したものである。
【特許文献１】特開２００１−３９４８０号公報
【考案の開示】
【考案が解決しようとする課題】
【０００４】
特許文献１に示される陳列パックによると、果物等の形状に合わせて収納部や膨出部等を形成するために、パック自体のサイズが大きくなってしまう不都合があった。このように、陳列パックのサイズが大きくなるということは、例えば、スーパーマーケットやコンビニエンスストア等の展示棚に効率良く商品を展示することができなくなるという重大な問題を抱えることになる。しかも、厚手の合成樹脂材で形成したパックでは、家庭でリサイクルのために分別廃棄する際に、このパックを小さく潰す作業等に多くの手間を要する不都合もある。
【０００５】
一方、商品をセットで包装する従来のケース状包装体においても、そのまま持ち運びが可能になるように材質を厚くする傾向にある。このため、収納する商品に合わせて包装体を形成したとしても厚手の包装体自体が嵩張ることになる。したがって、スペースが限られている展示棚に展示する場合、包装体のない商品を展示する数よりも包装体を使用して展示する商品の数のほうが明らかに少なくなっていた。この種の展示棚のスペースは、各販売店において展示効率に極めて合理性が追求されているため、この展示棚に展示される競合メーカーにとっては、限られたスペースにできるだけ多くの自社商品を展示しようとする激戦スペースとして知られている。したがって、商品をセットで包装する包装体においても、より合理的な展示が可能な包装体が求められていた。
【０００６】
そこで、本考案は上述の課題を解消すべく案出されたもので、包装した複数の商品を極めて合理的に展示することが可能で、しかも、これらの商品をそのまま持ち運ぶことができ、使用後の分別廃棄処分も容易な展示袋兼用持運び袋の提供を目的とするものである。
【課題を解決するための手段】
【０００７】
本考案の第１の手段は、複数個の商品Ｐをセットにした状態で収納する展示袋兼用持運び袋において、前後片１、２と、マチ部４を設けた左右側片３とをシールして底部５を設けた柔軟な合成樹脂製フィルムの袋体を形成し、前片１の上端を上方に延長して袋体の開口部を施蓋する蓋部６を形成し、該蓋部６の内側に、蓋部６と後片２とを接着する帯状のシール部７を設けたことにある。
【０００８】
第２の手段は、前記商品Ｐのセット全体の上部から前面にかけて被着する断面略Ｌ字形状の補強シート８を形成し、商品Ｐに被着した補強シート８の上から前記蓋部６を施蓋して前記後片２に蓋部６を接着し、該後片２の後片２内部で商品Ｐの上部に被着された補強シート８の近傍に持運び用の取っ手孔２Ａを開穿し、持運び時において取っ手孔２Ａから補強シート８にかけて把持するように設けられている。
【０００９】
第３の手段は、前記袋体の底部６を商品Ｐの上部に配置した状態で商品Ｐを収納すると共に、収納される商品Ｐのセット全体の上部から前面にかけて断面略Ｌ字形状の補強シート８を被着し、商品Ｐの下部に位置する開口部を前記蓋部６で施蓋して前記後片２に蓋部６を接着し、該後片２内部で商品Ｐの上部に被着された補強シート８の近傍に持運び用の取っ手孔２Ａを開穿し、持運び時において取っ手孔２Ａから補強シート８にかけて把持するように設けたものである。
【００１０】
第４の手段に係る前記補強シート８は、商品Ｐの前面に重合する重合片８Ａと、商品Ｐの上部に被着する被着片８Ｂと、該被着片８Ｂから延長され商品Ｐの一部に係止する係止片８Ｃとで構成されている。
【００１１】
第５の手段の前記袋体は、厚さ0.03〜0.1mmのポリプロピレンフィルムに厚さ0.015 mmのナイロンフィルムがラミネートされたフィルム材にて形成されたことを課題解消のための手段とする。
【考案の効果】
【００１２】
本考案の請求項１の如く、前後片１、２と、マチ部４を設けた左右側片３とをシールして底部５を設けた柔軟な合成樹脂の袋体を形成しているので、商品Ｐを展示する際に、柔軟な合成樹脂の袋体は商品Ｐの輪郭に沿って自由に変形する。この結果、スペースが限られている展示棚に、セットで包装した商品を展示した場合でも、この包装が展示の妨げにならずに済み、包装されない商品を展示できる数と変わらずに展示することが可能になった。しかも、柔軟な合成樹脂の袋体であるから、使用後の分別廃棄処分も容易になる。
【００１３】
また、請求項２、３により、持運び用の取っ手孔２Ａや、商品Ｐのセット全体の上部から前面にかけて被着する断面略Ｌ字形状の補強シート８を形成し、持運び時において前記取っ手孔２Ａから補強シート８にかけて把持するように設けられているから、柔軟なフィルム系の袋体でも、商品Ｐを持ち運ぶことが十分可能になっている。
【００１４】
更に、請求項４に記載の補強シート８により、商品Ｐの展示に妨げとなることはなく、複数の商品Ｐをセットした状態で把持することができる。
【００１５】
そして、請求項５に記載の袋体により、厚さ0.06〜0.1mmのポリプロピレンフィルムに厚さ0.015 mmのナイロンフィルムがラミネートされたフィルム材を使用することで、柔軟な合成樹脂の袋体でも、複数の商品Ｐをセットにして持運ぶことが可能になるものである。
【００１６】
このように本考案によると、包装した複数の商品を極めて合理的に展示することが可能で、しかも、これらの商品をそのまま持ち運ぶことができ、使用後の分別廃棄処分も容易になるなどといった実用上有益な種々の効果を奏するものである。
【考案を実施するための最良の形態】
【００１７】
本考案の最良の形態は、前後片１、２と、マチ部４を設けた左右側片３とをシールして底部５を設けた柔軟な合成樹脂製フィルムの袋体を形成する。前片１に商品の展示用表示部１Ａを設けると共に、該前片１の上端を上方に延長して袋体の開口部を施蓋する蓋部６を形成する。該蓋部６の内側に、蓋部６と後片２とを帯状に接着するシール部７を設ける。後片２の蓋部６が接着される位置の下方近傍に、持運び用の取っ手孔２Ａを開穿する。前記商品Ｐのセット全体の上部から前面にかけて被着する断面略Ｌ字形状の補強シート８を形成する。この補強シート８は、商品Ｐの前面に重合する重合片８Ａと、商品Ｐの上部に被着する被着片８Ｂと、該被着片８Ｂから延長され商品Ｐの一部に係止する係止片８Ｃとからなる。商品Ｐに被着した補強シート８の上から前記蓋部６を施蓋して前記後片２に蓋部６を接着する。袋体は、厚さ0.03〜0.1mmのポリプロピレンフィルムに厚さ0.015 mmのナイロンフィルムがラミネートされたフィルム材にて形成され、持運び時において前記取っ手孔２Ａから補強シート８にかけて把持するように設けることで、当初の目的を達成するものである。
【実施例】
【００１８】
本考案で使用する柔軟な合成樹脂製フィルムの袋体は、複数個の商品Ｐがセットになった状態で収納し、そのまま持ち運ぶように設けたものである。袋体の材質として、例えば、厚さ0.03〜0.1mmのポリプロピレンフィルムに厚さ0.015 mmのナイロンフィルムがラミネートされたフィルム材にて形成された袋体を使用することで、少なくとも700ml入りのシャンプーとリンスとを２本セットにして持ち運ぶことが可能になっている。また、このほか、袋体の材質として、OPPフィルムシート、CCPフィルム、PEフィルム、A-PETフィルム、PETフィルムシート、OPSフィルムなどの使用も可能である。また、収納する商品Ｐも、図示例の他、例えば缶ビール等の飲食物など、任意の商品を収納することができる。
【００１９】
このような袋体は、前片１と、後片２と、マチ部４を設けた左右側片３とをシールして底部５を設けて形成している（図３参照）。図示例では、前片１と後片２との下端部両側を斜めにカットし、マチ部４を設けた左右側片３をこの前片１と後片２に重ね合わせ、各片の上端部を除く周囲縁をシールすることで袋体を形成している。このように袋体を形成することで、左右側片３と底部５とによる略箱状の収納部が形成されるものである（図１参照）。
【００２０】
前片１には、商品の展示用表示部１Ａを設けている（図４参照）。また、この前片１の上端を上方に延長して袋体の開口部を施蓋する蓋部６を形成している。更に、この蓋部６の内側に、蓋部６と後片２とを接着する帯状のシール部７を設けている（図１参照）。このシール部７は、例えば両面接着テープなどを使用する。
【００２１】
後片２において、蓋部６が接着される位置の下方近傍に、持運び用の取っ手孔２Ａを開穿している（図２参照）。この取っ手孔２Ａは、持ち運ぶ際に手指を挿入する孔である。ところが本考案袋体は、柔軟なフィルム系の袋体であるから、そのままでは、取っ手孔２Ａの周囲が変形してしまい、バランスが崩れたり見栄えが悪くなったりするおそれがある。そこで、商品Ｐのセット全体の上部から前面にかけて被着する断面略Ｌ字形状の補強シート８を形成している（図１参照）。この補強シート８は、商品Ｐの前面に重合する重合片８Ａと、商品Ｐの上部に被着する被着片８Ｂと、該被着片８Ｂから延長され商品Ｐの一部に係止する係止片８Ｃとで構成された矩形状の合成樹脂製のシートが使用されている。そして、商品Ｐに被着した補強シート８の上から前記蓋部６を施蓋して前記後片２に蓋部６を接着する（図２参照）。取っ手孔２Ａは、後片２の後片２内部で商品Ｐの上部に被着された補強シート８の近傍に開穿されているので、持運び時には、取っ手孔２Ａから補強シート８にかけて手指を挿入して補強シート８ごと把持することで、取っ手孔２Ａ周囲の変形を防止し、収納された商品Ｐがセットされたまま持ち運ぶことができるものである。
【００２２】
図５、図６は、本考案の他の実施例を示している。この実施例では、袋体の底部６を商品Ｐの上部に配置した状態で商品Ｐを収納する（図５参照）。このとき、収納される商品Ｐのセット全体の上部から前面にかけて断面略Ｌ字形状の前記補強シート８を予め被着しておく。そして、商品Ｐの下部に位置する開口部を蓋部６で施蓋して後片２に蓋部６を接着する（図６参照）。この後片２には、取っ手孔２Ａが開穿されている。この取っ手孔２Ａは、後片２内部で商品Ｐの上部に被着された補強シート８の近傍に開穿するもので、持運び時において取っ手孔２Ａから補強シート８にかけて把持するように設けたものである。この実施例では、底部５から表示片９を設けることが可能になり、この表示片９に効果的な表示を施すことができる。
【００２３】
商品Ｐを展示する場合は、本考案袋にセット商品Ｐを収納して展示しても、商品Ｐをそのまま展示するスペースと何等変わらないスペースに展示できる（図４参照）。また、消費者がこの袋体を持って棚から取り出そうとすると、消費者の指先が自然に取っ手孔２Ａに差し込まれると共に、補強シート８をつかむ状態になっているから、そのまま直感的に持ち運ぶことができるようになっている。
【００２４】
尚、図示例の各構成は、本考案の一実施例に過ぎず、柔軟なフィルム系の袋体の形状や色彩の変更、透明感の選択や展示用表示部１Ａの有無、補強シート８の形状、材質の変更などは、収納する商品Ｐの形態に応じて自由に選択できるものであり、本考案の要旨を変更しない範囲において変更することができる。
【図面の簡単な説明】
【００２５】
【図１】本考案の一実施例を示す分解斜視図である。
【図２】本考案の収納状態を示す縦断面図である。
【図３】本考案袋体を示す背面図である。
【図４】本考案の展示状態を示す要部斜視図である。
【図５】本考の他の実施例を示す分解斜視図である。
【図６】本考の他の実指例の使用状態を示す斜視図である。
【符号の説明】
【００２６】
Ｐ  商品    
１  前片
１Ａ  展示用表示部
２  後片
２Ａ  取っ手孔
３  左右側片
４  マチ部
５  底部
６  蓋部
７  シール部
８  補強シート
８Ａ  重合片
８Ｂ  被着片
８Ｃ  係止片
９  表示片
【図１】
0003135721.tif 000003
【図２】
0003135721.tif 000004
【図３】
0003135721.tif 000005
【図４】
0003135721.tif 000006
【図５】
0003135721.tif 000007
【図６】
0003135721.tif 000008